(57)【要約】      （修正有）【課題】計時する時間を簡易に変更でき、また経時変化により計時する時間がずれてきても簡易に調整できる砂時計を提供する。【解決手段】砂溜まり部１、２に予備タンクとして第３の砂溜まり部３を直角または傾斜させて連結させ、砂溜まり部３から計時用の砂溜まり部１に砂４を出し入れさせることにより、計時用の砂４の量を可変できるようにした。さらに移動する砂４の量が分かるように、第３の砂溜まり部３と計時用の砂溜まり部１の間にくびれ部６を設けた。【選択図】図１
2020060541.tif 000002
【特許請求の範囲】
【請求項１】
第１の砂溜まり部と、第２の砂溜まり部と、前記第１の砂溜まり部と前記第２の砂溜まり部との間に砂を通過させる通過孔を備えるくびれ部と、前記第１第２の砂溜まり部内に砂と、を設ける砂時計において、前記第１の砂溜まり部に予備タンクとして第３の砂溜まり部を連結させ、前記第１の砂溜まり部と前記第３の砂溜まり部との間に砂を通過させる通過孔を備えるくびれ部を設け、前記第１の砂溜まり部と前記第２の砂溜まり部と、を用いて計時する際に、前記第３の砂溜まり部から前記第１の砂溜まり部に砂が流れ落ちないように傾斜させて、もしくは直角に前記第３の砂溜まり部を前記第１の砂溜まり部に連結させることを特徴とする砂時計。
【請求項２】
第１の砂溜まり部、第２の砂溜まり部、第３の砂溜まり部内に砂以外の物品、粉体、液体、もしくは密度の異なる複数の液体、を封入したことを特徴とした請求項１記載の砂時計。
【発明の詳細な説明】
【技術分野】
【０００１】      本発明は、計時できる時間を簡易に可変できる砂時計に関する。
【背景技術】
【０００２】      従来では、本体容器の上側にある粒体がくびれ部の連通した穴を通り、下側に落下する、この粒体を所定時間溜めることのできる容積を有する容器、または、所定時間落下した粒体の蓄積した高さが視認できる凸状物を設けることによって、複数の時間が計測できるようにした砂時計が知られている。
【先行技術文献】
【特許文献】
【０００３】
【特許文献１】特開２０１２−８３３２２号  公報
【発明の概要】
【発明が解決しようとする課題】
【０００４】      以上に述べた従来の砂時計では、粉体（砂）を所定時間溜めることのできる容積を有する容器を設けることによって、または所定時間落下した粒体の蓄積した高さが視認できる凸状物を設けることによって、複数の時間が計測できるようにしているが、あくまでも所定時間であり、計時する時間を簡易に変更や調整はできなかった。
【課題を解決するための手段】
【０００５】      通常の砂時計は砂溜まり部を２個持ち、その二つの砂溜まり部の間に砂を通過させる通過孔を備えるくびれ部を設けており、砂時計を静止状態から上下逆転させたとき、砂が上側の砂溜まり部から下側の砂溜まり部に全量落下するまでの時間で所定の経過時間が計測できる。【０００６】      本発明はどちらか一方の砂溜まり部に予備タンクとして第３の砂溜まり部を連結させ、そこから計時用のどちらか一方の砂溜まり部に砂を出し入れさせることにより、計時用の砂の量を可変できるようにした。【０００７】      さらに移動する砂の量が分かるように、第３の砂溜まり部と計時用のどちらか一方の砂溜まり部の間に砂を通過させる通過孔を備えるくびれ部を設けた。【０００８】      さらに計時用の二つの砂溜まりを用いて計時するときに、予備タンクである第３の砂溜まり部から砂が流れ落ちないように、第３の砂溜まり部を傾斜もしくは直角に連結させた。
【発明の効果】
【０００９】      本発明の砂時計は、予備タンクである第３の砂溜まり部から計時用の砂溜まり部へ砂を入れたり出したりすることが可能で、その砂の移動量も測定できるため、計時する時間を簡易に変更も調整もできる。
【図面の簡単な説明】
【００１０】
【図１】  本発明の実施形態を示す砂時計の構成図
【図２】  本発明の実施形態を示す砂時計の概略図
【図３】  本発明の実施形態を示す砂時計を上下逆転させた時の概略図
【図４】  本発明の実施形態を示す砂時計において計時する時間を増加させる操作をしている概略図
【図５】  本発明の実施形態を示す砂時計において計時する時間を減少させる操作をしている概略図
【発明を実施するための形態】
【００１１】      以下、本発明の実施形態を図面に基づいて説明する。
【００１２】      図１は本発明の実施形態を示した構成図であり、第１の砂溜まり部（１）と、第２の砂溜まり部（２）と、第１の砂溜まり部（１）と第２の砂溜まり部（２）との間に砂（４）を通過させる通過孔を備えるくびれ部（５）と、第１の砂溜まり部（１）に予備タンクとして第３の砂溜まり部（３）を連結させ、第１の砂溜まり部（１）と第３の砂溜まり部（３）との間に砂（４）を通過させる通過孔を備えるくびれ部（６）を設け、第１の砂溜まり部（１）と第２の砂溜まり部（２）と、を用いて計時する際に、第３の砂溜まり部（３）から第１の砂溜まり部（１）に砂が流れ落ちないように傾斜させて（直角に）第３の砂溜まり部（３）を第１の砂溜まり部（１）に連結させる構成となっており、また砂溜まり部（１）（２）（３）の保護と垂直に保持するために台座（７）と支持柱（８）を備えている。
【００１３】      図２〜図５の概略図を参照して本発明の第一の実施形態の動作について説明する。図２は本発明の実施形態を示す砂時計の概略図であり、第１の砂溜まり部（１）から砂（４１）が第２の砂溜まり部（２）に全量落下する時間で計時される。次に、この状態から図３のように上下逆転させることにより、第２の砂溜まり部（２）から砂（４２）が第１の砂溜まり部（１）に全量落下する時間により計時される。この動作を繰り返すことにより何度でも計時ができる。
【００１４】      図４は、本発明の実施形態を示す砂時計において計時する時間を増加させる操作をしている概略図である。第３の砂溜まり部（３）から砂（４３）を第１の砂溜まり部（１）へ落下させ、その落下させる砂の分量に応じて計時する時間が増加する。
【００１５】      図５は、本発明の実施形態を示す砂時計において計時する時間を減少させる操作をしている概略図である。第１の砂溜まり部（１）から砂（４１）を第３の砂溜まり部（３）へ落下させ、その落下させる砂の分量に応じて計時する時間が減少する。
【実施例】
【００１６】      図２〜図５の概略図を参照して本発明の第一の実施形態の動作について蒸らし時間を３分と４分と異なった紅茶をいれる場合について説明する。【００１７】      図２において、第１の砂溜まり部（１）内にある砂（４１）と、第２の砂溜まり部（２）内にある砂（４２）と、第３の砂溜まり部（３）内にある砂（４３）を合計すると５分の計時が可能な量の砂（４）を入れておいて、図２のように第１の砂溜まり部（１）を上にすると、砂（４１）は第２の砂溜まり部（２）に落下する。全ての砂（４１）が落下したら、次に、図３のように第２の砂溜まり部（２）を上にする。そうすると砂（４２）は第１の砂溜まり部（１）に落下していくので、全ての砂（４２）が落下する時間を計時する。その時間が３分３０秒であったとする。この状態で図２、図３を繰り返すことによって３分３０秒を計時可能な砂時計となる。【００１８】      この状態から、計時する時間を３分にするには、図５のように第３の砂溜まり部（３）を下、第１の砂溜まり部（１）を上にして、砂（４１）を３０秒間落下させる。その後、図３、図２を繰り返すことによって３分計時可能な砂時計となる。これにより蒸らし時間３分の紅茶をいれることが繰り返し可能となる。【００１９】      次に、計時する時間３分から、計時する時間を４分にするには、図４のように第３の砂溜まり部（３）を上、第１の砂溜まり部（１）を下にして、砂（４３）を１分間落下させる。その後、図２、図３を繰り返すことによって４分計時可能な砂時計となる。これにより蒸らし時間４分の紅茶をいれることが繰り返し可能となる。【００２０】      本発明の実施例では、第１の砂溜まり部（１）と第２の砂溜まり部（２）との間に砂（４）を通過させる通過孔を備えるくびれ部（５）の隙間と、第１の砂溜まり部（１）と第３の砂溜まり部（３）との間に砂（４）を通過させる通過孔を備えるくびれ部（６）の隙間を同じ広さにした場合を説明したが隙間の広さが異なる場合でも比例計算により可能となる。【００２１】      本発明の実施例では、計時する時間を３分と４分に設定する場合について説明したが、設定した時間が分かるように砂時計に表示しておくと便利なことは言うまでもない。【００２２】      本発明の実施例では、砂（４）を用いて説明したが、他の物品、粉体、液体、または密度の違う液体を用いても可能であることは言うまでもない。【００２３】      本発明の実施例では、蒸らし時間を簡易に変更できる紅茶のいれ方について説明したが、経時変化により計時する時間がずれてきても簡易に計時する時間を調整できることは言うまでもない。
【符号の説明】
【００２３】      １  第１の砂溜まり部
２  第２の砂溜まり部
３  第３の砂溜まり部
４  砂
５  くびれ部
６  くびれ部
７  台座
８  支持柱
４１  砂
４２  砂
４３  砂
【図１】
2020060541.tif 000003
【図２】
2020060541.tif 000004
【図３】
2020060541.tif 000005
【図４】
2020060541.tif 000006
【図５】
2020060541.tif 000007